(57)【要約】  【課題】メモリカードを収納したカードホルダーをＳＩＭソケットに挿入する際、また、挿入して位置を決めた後に、カードホルダーにがたつきが生じないＳＩＭソケット用カードホルダーを提供する。  【解決手段】カードホルダー３の側面に、ＳＩＭソケット１の案内壁４，５の内側面に沿って、カードホルダー３をスライドインさせるためのスライド部３２，３３が形成され、当該スライド部３２，３３には、スライド部３２，３３の外側面よりも外に張り出した当接片３６が形成されている。  【効果】カードホルダー３の当接片３６がＳＩＭソケット１の案内壁４，５の内側面に圧接された状態になる。したがって、挿入したカードホルダー３が幅方向Ｂ（挿入方向と直角な方向）に動くのを防止できる。また、カードホルダー３の挿入時にも、当接片３６がＳＩＭソケット１の案内壁４，５の内側面に圧接しながら挿入されるので、スムーズな挿入が可能になる。【選択図】        図７
2006059660.tif 000002
【特許請求の範囲】
【請求項１】
メモリカードを収納した状態で、装置本体内の回路基板に装着されたＳＩＭソケットに自在に挿入されるカードホルダーであって、
カードホルダーの側面に、前記ＳＩＭソケットの案内壁の内側面に沿って、カードホルダーをスライドインさせるためのスライド部が形成され、
当該スライド部には、スライド部の外側面よりも外に張り出した当接片が形成されていることを特徴とするＳＩＭソケット用カードホルダー。
【請求項２】
前記当接片は、膨らみを持った形状を有する請求項１記載のＳＩＭソケット用カードホルダー。
【請求項３】
前記当接片とカードホルダーの本体との間には、空間が介在している請求項２記載のＳＩＭソケット用カードホルダー。
【請求項４】
前記カードホルダーのスライド部には、カードホルダーが奥まで挿入された状態で、前記ＳＩＭソケットの案内壁に設けられた奥ロック部に係合するための、第１係合部が形成されている請求項１〜請求項３いずれかに記載のＳＩＭソケット用カードホルダー。
【請求項５】
前記カードホルダーの側面には、カードホルダーを手前まで引き出した状態で、前記ＳＩＭソケットの案内壁に設けられた前ロック部に係合するための、第２係合部が形成されているを有する請求項１〜請求項４いずれかに記載のＳＩＭソケット用カードホルダー。
【請求項６】
カードホルダーの先端部近くには、挿入方向に沿ってスリットが形成されている請求項１〜請求項５いずれかに記載のＳＩＭソケット用カードホルダー。
【発明の詳細な説明】
【技術分野】
【０００１】
本発明は、携帯電話機などの情報通信装置に用いられる、メモリカードを保持するカードホルダーに関し、特に、装置本体内の回路基板に装着されたＳＩＭソケットに挿入可能なカードホルダーに関するものである。
【背景技術】
【０００２】
携帯電話機やＰＤＡなどの情報通信装置（以下、「携帯電話機等」という）は、個人情報を登録して使用するものであるため、新機種に更新するときに、登録した個人情報の旧機種から新機種への移し替えが容易にできることが望まれている。
そこで、個人情報をメモリカードに登録し、携帯電話機等の内部基板に、ＳＩＭ(Subscriber Identification Module)ソケットを装着し、ＳＩＭソケットにメモリカードを着脱可能にした構造が採用されている。
【０００３】
詳しく言えば、ＳＩＭソケットは携帯電話機等の内部基板に半田付けなどにより取り付けられている。ＳＩＭソケットは、携帯電話機等の外部に開口を有する樹脂製のコネクタハウジングと一体になっており、このコネクタハウジングにメモリカードが挿入可能になっている。
そして、携帯電話機等の機種を更新する場合には、メモリカードをコネクタハウジングから抜き出し、新しい機種に当該メモリカードを挿入してデータの移し替えを行う。
【０００４】
メモリカードは、単独で挿入する場合もあり、また、メモリカードを単独で挿入するのではなく、メモリカードをいったんカードホルダーに収納し、カードホルダーごと、携帯電話機等のコネクタハウジングの開口部に挿入する構成も知られている。
【特許文献１】特開2004-6072号公報
【特許文献２】特開2001-237010号公報
【特許文献３】特開2004-244004号公報
【特許文献４】特開平8-87582号公報
【発明の開示】
【発明が解決しようとする課題】
【０００５】
ところで、前記メモリカードを収納したカードホルダーを、コネクタハウジングの開口部に挿入した場合、カードホルダーが、挿入方向にも、それと直角な幅方向にもがたつきが生じると、メモリカードの接続端子と、それに接続するＳＩＭソケットの接続端子とが摺動して、両接続端子の表面に形成される金属皮膜がはがれて酸化しやすくなり、接触不良の要因になる。
【０００６】
したがって、挿入されたカードホルダーは、挿入方向にも、それと直角な幅方向にもがたつきが生じない構造であることが望ましい。
また、挿入している時も、カードホルダーをスムーズに挿入できなければ、前記接続端子に過大な力がかかることがあり、これも接触不良の要因になる。
したがって、カードホルダーを挿入している時も、スムーズに挿入できることが好ましい。
【０００７】
そこで、本発明は、簡単な構造を採用しながら、メモリカードを収納したカードホルダーをＳＩＭソケットに挿入する際にも、また、挿入して位置を決めた後にも、カードホルダーにがたつきが生じないＳＩＭソケット用カードホルダーを提供することを目的とする。
【課題を解決するための手段】
【０００８】
本発明のＳＩＭソケット用カードホルダーは、カードホルダーの側面に、前記ＳＩＭソケットの案内壁の内側面に沿って、カードホルダーをスライドインさせるためのスライド部が形成され、当該スライド部には、スライド部の外側面よりも外に張り出した当接片が形成されているものである。
この構成であれば、カードホルダーの当接片が、スライド部の外側面よりも外に張り出しているので、挿入したカードホルダーの当接片がＳＩＭソケットの案内壁の内側面に圧接された状態になる。したがって、挿入したカードホルダーが幅方向（挿入方向と直角な方向）に動くのを防止できる。また、カードホルダーの挿入時にも、カードホルダーの当接片がＳＩＭソケットの案内壁の内側面に圧接しながら挿入されるので、スムーズな挿入が可能になる。
【０００９】
前記当接片は、膨らみを持った形状を有するものであることが好ましい。当接片が形状であれば、幅方向に弾力的に動きやすいからである。
前記当接片とカードホルダーの本体との間には、空間が介在していることが望ましい。この空間の存在により、当接片のさらに弾力的な動作が可能になる。
前記カードホルダーのスライド部には、カードホルダーが奥まで挿入された状態で、前記ＳＩＭソケットの案内壁に設けられた奥ロック部に係合するための、第１係合部を有することが望ましい。メモリカードが収納されたカードホルダーが挿入された状態で、この第１係合部とＳＩＭソケットの奥ロック部との係合により、カードホルダーをコネクタハウジングの所定位置に係止させて、メモリカードを収納したカードホルダーが挿入方向に簡単に動かないようにすることができる。
【００１０】
前記カードホルダーの側面には、カードホルダーを手前まで引き出した状態で、前記ＳＩＭソケットの案内壁に設けられた前ロック部に係合するための、第２係合部を有することが望ましい。メモリカードが収納されたカードホルダーを取り出すときに、この第２係合部とＳＩＭソケットの前ロック部との係合により、カードホルダーをコネクタハウジングの所定位置にいったん止めて、メモリカードを収納したカードホルダーが容易に抜け落ちないようにすることができる。
【００１１】
本発明のカードホルダーの先端部近くには、挿入方向に沿ってスリットが形成されていることが望ましい。このスリットにより、第２係合部を幅方向に動きやすくして、メモリカードを収納したカードホルダーをコネクタハウジングに挿入するときに、前ロック部を簡単に乗り越えることができるようにすることができる。
【発明を実施するための最良の形態】
【００１２】
以下、携帯電話機内の回路基板に装着されるＳＩＭソケットを例にとって、本発明の実施の形態を、添付図面を参照しながら詳細に説明する。
図１（ａ）は本発明のＳＩＭソケットの平面図、図１（ｂ）は正面図である。図２は同底面図、図３は同斜視図を示す。
このＳＩＭソケット１は、ポリアミド樹脂などの絶縁性のプラスチック素材に金属製接続端子をインサートして成形したものである。プラスチック素材からなる部分は、後述するカードホルダー３（図４参照）を収納することができるものであり、コネクタハウジング２という。
【００１３】
コネクタハウジング２は、樹脂性の平板面状に形成されている。この平面樹脂板を番号２１で表す。また、カードホルダー３の挿入方向をＡで表す。
挿入方向Ａから見て、平面樹脂板２１の左右両側には、カードホルダー３をスライド挿入するための案内壁４，５が立設されている。案内壁４，５は、コネクタハウジング２と一体に同時成形されたものである。
【００１４】
案内壁４，５の正面形状は、図１（ｂ）に示されるように、挿入したカードホルダー３を保持できるように、平面樹脂板２１の両側から直角に立ち上がっており、各案内壁４，５の３カ所において、コの字状に折り返された部分が存在する。案内壁４の折り返された部分を４１で表し、案内壁５の折り返された部分を５１で表す。これらのコの字状の折り返し部４１，５１の底面は、図３に示されるように、中央部が一番低く、その前後が徐々に上がった舟底型になっている。このため、カードホルダー３を挿入するときに、カードホルダー３が折り返し部４１，５１に衝突することなく滑らかに挿入できる。なお、折り返し部４１，５１の位置は、３カ所に限られない。２カ所以下あってもよく、４カ所以上あってもよい。
【００１５】
このようにして、案内壁４，５の内側面に、カードホルダー３の側面が当接され、コの字状の折り返し部４１，５１の底面にカードホルダー３の上面が当接される。これにより、挿入されたカードホルダー３がコネクタハウジング２に対して保持される。
前記案内壁４，５には、奥ロック部８，９及び前ロック部１０，１１が一体に形成されている。
【００１６】
奥ロック部８，９は、案内壁４，５から内側に凸状に突出した形状となっている。奥ロック部８，９は、カードホルダー３をコネクタハウジング２の奥まで差し込んだときに、カードホルダー３がコネクタハウジング２に保持されるように、カードホルダー３をロックする。
前ロック部１０，１１は、コネクタハウジング２に挿入したカードホルダー３を抜くためカードホルダー３を一番手前まで引き出したときに、カードホルダー３がそのまま脱落しないように、カードホルダー３を係止するための部材である。前ロック部１０，１１は、カードホルダー３の差込口に近い位置に形成され、案内壁４，５から内側に対して、凸状に突出した形状となっている。前ロック部１０，１１の係止面は、図１、図２に示されるように、カード挿入方向Ａとほぼ直角に形成された面１０ａ，１１ａとなっている。
【００１７】
前記案内壁４，５と、コネクタハウジング２の平面樹脂板２１とは、樹脂により一体に結合しているが、その結合部は、平面樹脂板２１の側部全体にわたって存在しているものではなく、平面樹脂板２１の中央部Ｐ及び挿入手前の部分Ｑのみに存在している。中央部Ｐにおける結合片を３９で表し、手前部Ｑの結合片を４０で表す。
結合片３９，４０は、平面形状を有し、案内壁４，５とコネクタハウジング２の平面樹脂板２１とを橋渡ししている。結合片３９，４０には、後述する補強タブ６，７の折り曲げ部６４，６５，７４，７５に設けられている孔４４，４５を取り囲む孔が設けられている。
【００１８】
さらに、中央部Ｐの結合片３９の両サイドには、補強のため、平面樹脂板２１と案内壁４，５とを橋渡しする２本のリブ３８がさらに設けられている。これらの２本のリブ３８と、結合片３９との間には、空間が介在している。この空間を溝３７という。空間を設けた理由については、後述する。
以上のように、案内壁４，５と平面樹脂板２１との結合部３９，４０は、平面樹脂板２１の中央部Ｐ及び挿入手前の部分Ｑの、２箇所のみに存在しているが、この理由は、カードホルダー３の挿入・抜き出し時に、案内壁４，５の前記奥ロック部８，９や前ロック部１０，１１が、カードホルダー３の挿入方向Ａと直角な方向Ｂに弾力的に移動できるようにするためである。すなわち、案内壁４，５と平面樹脂板２１とが全面にわたって接合していれば、大きな力を与えなければ、奥ロック部８，９や前ロック部１０，１１の方向Ｂにおける移動ができなくなり、カードホルダー３の挿抜が硬くなる。
【００１９】
そこで、奥ロック部８，９や前ロック部１０，１１の方向Ｂにおける移動を可能にすることにより、カードホルダー３の挿入時に案内壁の前ロック部１０，１１が、挿入されるカードホルダー３の第２係合部１４，１５に当たって左右に開かれるようにして、カードホルダー３の挿入を容易にしている。また、カードホルダー３をおくまで挿入した時に案内壁の奥ロック部８，９が、挿入されるカードホルダー３の第１係合部１２，１３に当たって左右に開かれるようにして、奥ロック部８，９と第１係合部１２，１３との係合を容易にしている。
【００２０】
しかし、案内壁４，５は、平面樹脂板２１と同じ材質のプラスチック素材からなるため、本来、弾力性が少ないものである。このため、カードホルダー３の挿入後に、奥ロック部８，９と第１係合部１２，１３とのしっかりとした係合力が保持できなくなり、カードホルダー３に、挿入方向Ａのがたつきが生じるということも予想される。また、カードホルダー３を抜き取るときに、前ロック部１０，１１がカードホルダー３に引っかからないで、前ロック部１０，１１が簡単に抜け落ちてしまうということも予想される。
【００２１】
そこで、本発明では、案内壁４，５に剛性を与えるとともに、奥ロック部８，９や前ロック部１０，１１の方向Ｂにおける移動に弾力性を与えるため、金属性の補強タブ６，７を、案内壁４，５と一体に埋め込み形成している。
この補強タブ６，７の形状は、基本的には、案内壁４，５に沿った長尺の薄板状である。補強タブ６，７の材質は、剛性と弾性が必要なので、柔らかい金属では不適であり、例えば錫メッキしたリン青銅、ステンレスのような硬い金属を用いるのがよい。
【００２２】
補強タブ６，７の形状を詳細に説明すると、補強タブ６，７は、案内壁４，５と一体になるように、案内壁４，５の背の部分にインサート成形されている。これにより、補強タブ６，７は、前ロック部１０，１１の位置する部分及び奥ロック部８，９の位置する部分を、案内壁４，５の側面から内方向に強く押さえつけることができる。
補強タブ６，７の下辺は、前記案内壁４，５と平面樹脂板２１との結合部Ｐ，Ｑにおいて、平面樹脂板２１の底面と同一面となるように折り曲げられている。当該折り曲げられた部分を番号６４，６５，７４，７５で示す。これらの折り曲げ部６４，６５，７４，７５は、携帯電話機の基板の配線部に対して、半田付けにより強固に固着される。これにより、コネクタハウジング２の案内壁４，５を携帯電話機の回路基板に固着させることができる。
【００２３】
折り曲げ部６４，６５，７４，７５を半田付けするときには、余った半田が逃げる空間を作っておくことが望ましい。そこで、折り曲げ部６４，６５，７４，７５のほぼ中央には、図２、図９に示されるように、孔４４，４５が形成されている。さらに、折り曲げ部６４，６５，７４，７５の両サイドには、前述した溝３７が介在している。熔融した半田はこれらの孔４４，４５や溝３７に逃げて、半田層の厚みを最小限にすることができる。これにより、コネクタハウジング２が回路基板に密着するようになり、携帯電話機の挿入用開口部とコネクタハウジング２との互いの位置精度を保つことができる。よって、挿入用開口部からのカードホルダー３の挿入が容易にできるようになる。
【００２４】
また、補強タブ６，７の上辺は、前記案内壁４，５のコの字状の折り返し部４１，５１を補強するべく、直角に折り曲げられている。当該折り曲げられた部分を番号６１，７１で示す。これらの折り曲げ部６１，７１は、折り返し部４１，５１を上から当接することにより、コネクタハウジング２に挿入されたカードホルダー３を上から抑え付けて、カードホルダー３が浮き上がるのを防止する。
【００２５】
一方、コネクタハウジング２は、６個の接続端子８１，８２をインサート成形により装備している。接続端子８１，８２は、斜視図（図３）に示されるように、コネクタハウジング２の平面樹脂板２１に埋め込まれ、保持されている。接続端子８１，８２の先端は平面樹脂板２１の端面から突出しており、これらの先端が回路基板の金属端子にクリーム半田付けされる。なお、半田付け以外に超音波溶着などの方法で接合されるようにしてもよい。接続端子８１，８２は、他端において、ベローズ状に折り返されている。ベローズ形状の折り返し部の位置は、メモリカードＣの端子部に対応している。
【００２６】
ここで、前記ＳＩＭソケット１の製造工程及び回路基板への装着工程を簡単に説明する。
金属板のロールを繰り出して、板状に打抜き、折り曲げ部６１，６４，６５，７１，７４，７５を曲げ加工することにより、単品の補強タブ６，７を製造する。次に、コネクタハウジング２の外形に対応したキャビティを備えた金型に、前記補強タブ６，７と、前記接続端子８１，８２を設置して、合成樹脂を射出して一体成形する。
【００２７】
このようにして製造されたＳＩＭソケット１の、補強タブ６，７の折り曲げ部６４，６５，７４，７５を携帯電話機の基板に半田付けし、かつ接続端子８１，８２を同基板に接続することにより、ＳＩＭソケット１を同基板に固定することができる。
特に、補強タブ６，７の折り曲げ部６４，６５，７４，７５を、直接、携帯電話機の基板に半田付けすることにより、案内壁４，５に十分な剛性と弾力性を付与することができる。したがって、前記奥ロック部８，９や前ロック部１０，１１がカードホルダー３の第１係合部１２，１３，１４，１５と係合するときに、カードホルダー３を左右上下方向からしっかりと保持することができる。また、カードホルダー３を抜き取るときに弾性的な引っかかりを与えることができ、カードホルダー３が脱落しないようにすることができる。
【００２８】
以上説明したＳＩＭソケット１の構造において、メモリカードＣを保持したカードホルダー３をコネクタハウジング２に挿入すると、メモリカードＣの端子部４９，５０が、接続端子８１，８２のベローズ状に折り返された部分に接触してＳＩＭカードと装置本体の回路との電気的接続が達成され、装置本体が機能する。
次に、カードホルダー３について詳しく説明する。
【００２９】
図４は、カードホルダー３の底面を示す斜視図である。図５は、このカードホルダー３にメモリカードＣを収納した状態を示す斜視図である。
図６は、メモリカードＣが挿入されたカードホルダー３を、コネクタハウジング２の案内壁４，５に沿ってＳＩＭソケット１に挿入しようとする様子を描いた斜視図である。
カードホルダー３は、メモリカードＣを収容するための平面状の樹脂板３１で構成されている。樹脂の材質としては、ポリアセタール（ＰＯＭ）樹脂、ポリアミド樹脂などを用いることができる。樹脂板３１の両側面３１ａ，３１ｂの下辺部には、図６に示されるように、カードホルダー３をコネクタハウジング２の案内壁４，５の内側面に沿ってスライドインさせるためのスライド部３２，３３が形成されている。スライド部３２，３３は、案内壁４，５の内側面に摺動する、まっすぐな外側面３２ａ，３３ａを持っている。
【００３０】
さらに、カードホルダー３の裏面には、図４に示されるように、前記平面状の樹脂板３１にメモリカードＣを収納するための側壁が形成されている。この側壁は、前記スライド部３２，３３と一体のものであり、同一の番号″３２，３３″で表す。さらに挿入方向Ａの先端には、メモリカードＣを前面から保持するための先端壁３５が設けられている。
カードホルダ３の側部先端側には、２種類の係合部が形成されている。
【００３１】
１つは、両スライド部３２，３３の外側面３２ａ，３３ａに形成されている突起状の第１係合部１２，１３である。これらの第１係合部１２，１３は、カードホルダー３の挿入時に案内壁４，５の奥ロック部８，９を乗り越えて係止するものである。
もう１つは、図６に示されるように、カードホルダー３の側面３１ａ，３１ｂに、突起状に形成されている第２係合部１４，１５である。第２係合部１４，１５は、その奥側（カード挿入方向Ａの先端側）に傾斜面１４ｂ，１５ｂを有し、第２係合部１４，１５の手前側には、カード挿入方向Ａとほぼ直角に形成された係止面１４ａ，１５ａを有している。
【００３２】
第２係合部１４，１５は、カードホルダー３を挿入するときには、その傾斜面１４ｂ，１５ｂが案内壁４，５の前ロック部１０，１１を押し開き、コの字状の折り返し部４１，５１に当接しながら、カードホルダー３を案内する。
コネクタハウジング２に挿入したカードホルダー３を抜くためカードホルダー３を一番手前まで引き出したときには、前記係止面１４ａ，１５ａが、前ロック部１０，１１の係止面１０ａ，１１ａに引っかかって、カードホルダー３がそのまま抜け出るのを防止する。
【００３３】
また、カードホルダー３の両スライド部３２，３３には、膨らみを持った半円形状の当接片３６が形成されている。この当接片３６の最外部は、両スライド部３２，３３よりもわずかに外に張り出している。そして、両スライド部３２，３３にそれぞれ設けられている当接片３６の最外部同士の間隔は、案内壁４，５の内側面同士の間隔よりも、大きくなっている。この寸法設定により、カードホルダー３を挿入するとき、当接片３６は、案内壁４，５の内側面に弾力的に圧接しながら摺動していくことができる。
【００３４】
なお、当接片３６の形状は、常に、膨らみを持った半円形状である必要はなく、スライド部３２，３３の外側面３２ａ，３３ａよりも、外側に張り出している形状であれば、どんな形状でもよい。例えば、外側面３２ａ，３３ａから突出した突起のようなものであってもよい。
当接片３６は、カードホルダー３の樹脂板３１に直接連結しているのではなく、当接片３６と樹脂板３１との間には、樹脂の存在しない空間４２が形成されている。この空間４２の存在により、当接片３６のさらに弾力的な動作が可能になっている。
【００３５】
さらに、カードホルダー３の先端部近くには、挿入方向Ａに沿って細長いスリット３４が形成されている。このスリット３４は、カードホルダー３を挿入するときに、カードホルダー３の第２係合部１４，１５を内側に弾力的に移動させて、前記傾斜面１４ｂ，１５ｂが案内壁４，５の前ロック部１０，１１に衝突して挿入できなくなるのを防止し、挿入をスムーズに行うためにある。
【００３６】
以上の構造により、カードホルダー３を案内壁４，５に挿入すると、当接片３６の最外部が、案内壁４，５の内側面に弾力的に当接して、カードホルダー３の挿入時の幅方向Ｂへのふらつきをなくし、スムーズに挿入すことができる。
さらに、カードホルダー３の挿入後も、カードホルダー３が幅方向Ｂにがたつくのを防止することができる。このがたつき防止効果により、メモリカードＣの接続部４９，５０と接続端子８１，８２との接触を保護することができる。
【００３７】
図７は、カードホルダー３がコネクタハウジング２に挿入された状態を示す平面図である。図７によれば、コネクタハウジング２の両スライド部３２，３３に形成されている第１係合部１２，１３が、案内壁の奥ロック部８，９を乗り越えて係止している。この係止している部分をＲで示す。また、カードホルダー３の膨らみを持った半円形状の当接片３６が、案内壁４，５の内面に、圧力を印加しながら当接している。これにより、カードホルダー３がコネクタハウジング２の中で幅方向Ｂにがたつくのを防止している。
【００３８】
図８及び図９は、カードホルダー３をＳＩＭソケット１のコネクタハウジング２から抜き出そうとする状態を示す斜視図である。図８は上方から見た図、図９は下方から見た図である。
図８によれば、カードホルダー３の側面３１ａ，３１ｂに形成されている第２係合部１４，１５の係止面１４ａ，１５ａが、カードホルダー３を一番前まで引き出したときに、前ロック部１０，１１の係止面１０ａ，１１ａに係合している。この係合部分をＳで示している。この係合により、カードホルダー３を抜き出そうとするときに、カードホルダー３が脱落するのを防止している。
【００３９】
以上で、本発明の実施の形態を説明したが、本発明の実施は、前記の形態に限定されるものではない。例えば、以上に説明したのは、メモリカードＣが収納されたカードホルダー３をＳＩＭソケットに装着する場合の、本発明の実施形態であったが、本発明はこれに限られず、メモリカードＣ自体を直接ＳＩＭソケットに装着する場合にも適用可能である。メモリカードＣを直接ＳＩＭソケットに装着する場合は、メモリカードＣの形状として、コネクタハウジング２の奥ロック部８，９や前ロック部１０，１１と係合可能な第１、第２の係合部を備えている必要があることはもちろんである。また、本発明のＳＩＭソケットは、前記発明の実施形態では、携帯電話機内の回路基板に装着されるものであったが、携帯電話機に限らず、ＰＤＡ、パーソナルコンピュータなどの情報通信装置に広く適用することができる。その他本発明の範囲内で種々の変更を施すことが可能である。
【図面の簡単な説明】
【００４０】
【図１】（ａ）はＳＩＭソケットの平面図、（ｂ）は正面図である。
【図２】ＳＩＭソケット１の底面図である。
【図３】ＳＩＭソケット１の斜視図である。
【図４】カードホルダー３の底面を上から見た斜視図である。
【図５】カードホルダー３にメモリカードＣを収納した状態を示す斜視図である。
【図６】カードホルダー３が挿入されたメモリカードＣを、ＳＩＭソケットの案内壁４，５に沿ってコネクタハウジング２に挿入しようとする様子を描いた斜視図である。
【図７】カードホルダー３がＳＩＭソケット１のコネクタハウジング２に挿入された状態を示す平面図である。
【図８】カードホルダー３をＳＩＭソケット１のコネクタハウジング２から抜き出そうとする状態を示す、上方から見た斜視図である。
【図９】カードホルダー３をＳＩＭソケット１のコネクタハウジング２から抜き出そうとする状態を示す、下方から見た斜視図である。
【符号の説明】
【００４１】
１  ＳＩＭソケット
２  コネクタハウジング
３  カードホルダー
４，５ 案内壁
６，７ 補強タブ
８，９ 奥ロック部
１０，１１ 前ロック部
１０ａ，１１ａ 係止面
１２，１３  第１係合部
１４，１５ 第２係合部
１４ａ，１５ａ 係止面
１４ｂ，１５ｂ 傾斜面
２１ コネクタハウジングの樹脂板
３１ カードホルダーの樹脂板
３１ａ，３１ｂ 樹脂板の側面
３２，３３ スライド部
３２ａ，３２ｂ  外側面
３４ スリット
３５ 先端壁
３６ 当接片
３７ 溝
３８ リブ
３９，４０ 結合片
４２ 空間
４４，４５ 孔
４９，５０ 端子部
４１，５１ 折り返し部
６１，７１ 補強タブの折り曲げ部
６４，６５，７４，７５ 補強タブの折り曲げ部
８１，８２  接続端子
Ａ  メモリカードＣの挿入方向
Ｂ 幅方向
Ｃ  メモリカード
【図１】
2006059660.tif 000003
【図２】
2006059660.tif 000004
【図３】
2006059660.tif 000005
【図４】
2006059660.tif 000006
【図５】
2006059660.tif 000007
【図６】
2006059660.tif 000008
【図７】
2006059660.tif 000009
【図８】
2006059660.tif 000010
【図９】
2006059660.tif 000011